(57)【要約】【課題】特定の計測器で取り扱う試験片でなければ、計測を拒否し、計測する人の判断間違いを無くすこと。【解決手段】主に一つの絶縁性第1、第2基板より構成し、第1基板は第2基板より長く、第1基板上に電極及び識別電極区域を設ける。電極と識別電極区域は第2基板外部に露出し、識別電極区域に導電物質を塗装する。使用するとき、試験片を計測器に挿入することにより識別電極区域の導電性物質より抵抗値を生成させるか、または電極と識別電極区域との間の抵抗値により、計測器の抵抗値は設定範囲以内かを判断する。【選択図】図2ｂ
0003117358.tif 000002
【実用新案登録請求の範囲】
【請求項１】
一つの絶縁性基板と一つの識別電極区域と一つの検出区域とを含み、
前記一つの絶縁性基板は、その基板に作業電極と参考電極それぞれに設け、
前記一つの識別電極区域を基板の一端に設け、この識別電極区域に導電性物質を塗布し、導電性物質は抵抗値により変更し、
前記一つの検出区域を基板の他端に設け、この検出区域は作業電極と参考電極に連絡させたことを特徴とする、
識別機能を有する生物計測器試験片。
【請求項２】
前記導電性物質は導電炭素であることを特徴とする、請求項1記載の識別機能を有する生物計測器試験片。
【請求項３】
前記導電性物質は貴金属合金(プラチナ、パラジウム合金)、又は単一貴金属(金、銀、パラジウムなど)、或いはインジウムすず酸化物であることを特徴とする、請求項1記載の識別機能を有する生物計測器試験片。
【請求項４】
前記基板に向かい合った第1、第2基板を設け、その第1、第2基板は平板形状で絶縁性を有し、第1、第2基板の周りは両端を除いた相関面に接着剤を塗布して、第1、第2基板を接着させ、接着剤を塗布しない検出区域に検出するための生物性物質であることを特徴とする、請求項1記載の識別機能を有する生物計測器試験片。
【請求項５】
前記基板に第1基板、および第1基板の両側に第2基板を設け、その第1、第2基板は平板形状で、絶縁性を有し、第1、第2基板の周りは両端を除いた相関面に接着剤を塗布して、第1、第2基板を接着させ、接着剤を塗布しない検出区域に検出するための生物性物質であることを特徴とする、請求項1記載の識別機能を有する生物計測器試験片。
【請求項６】
前記した請求項１乃至５の何れかに記載の試験片と組合せることのできる計測器であって、
計測器に検出窓を設け、
この検出窓は検出するためのプロブ・ポイントを設け、
計測器は一定範囲の抵抗値を設定しておき、試験片を計測器に挿入したとき、計測器は識別電極の導電性物質により、様々な抵抗値を生成し、あらかじめに設定された抵抗値範囲かを検出し、設定された抵抗値を外れたときに、失敗しても安全な機能を付与するようにエラーメッセージを生成すると共に、設定された抵抗値の範囲内のときに、判定間違いを無くして、より精確に検出結果が得られように、計測を続行することを特徴とする、
識別機能を有する生物計測器。
【請求項７】
前記プロブ・ポイントは識別電極区域内に設けることを特徴とする、請求項6記載の識別機能を有する生物計測器。
【請求項８】
前記プロブ・ポイントは、識別電極区域と作業電極または参考電極の相関位置に設けることを特徴とする、請求項6記載の識別機能を有する生物計測器。
【考案の詳細な説明】
【技術分野】
【０００１】
本考案は一種の識別機能を有する生物計測器試験片及びその計測器に関し、より詳細には一種の異なる導電性物質を持つさまざまな抵抗特性を利用し、さまざまな導電性物質を試験片の識別電極区域に塗布すると共に、試験片識別電極区域の変更により、計測器上の識別素子規格を修正必要がないため、コストを安くでき、さらに、測定するとき、計測器の抵抗設定値と試験片電極区域抵抗との比較を行い、その測定器の測定に相応しくない試験片の測定を排除して、検査者の判定間違い、使用者による判断ミスまたは使用間違いを避けられる識別機能を有する生物計測器試験片及びその計測器に関するものである。
【背景技術】
【０００２】
在宅ケアの観念は段々に高まりつつあり、迅速、廉価、専業者の操作必要がない、血糖検出器、電子検温器、電子式血圧計など、自宅で自分の操作で検出できる製品も多くなっている、そのうち、血糖検出器に使われている使い捨て方式の血糖検出紙は、電気化学生物計測器の原理を利用した検体の血糖濃度を検出するものである。
【考案の開示】
【考案が解決しようとする課題】
【０００３】
現在、市販の血糖、コレステロール、グルタミン酸‐オキサロ酢酸トランスアミナーゼ(ＧＯＴ)、グルタミン酸‐ピルビン酸トランスアミナーゼ(ＧＰＴ)などの計測器は試験片が小さい上、その外観、形状も似ているため、消費者血糖値を計るときコレステロール用の試験片を間違って使用するなど、計測器の使用不能または計測の間違いになりかねない。
【０００４】
前述の事故を改善するため、図1a、1b、1cに示す通り、特許ＷＯ第０１７１３２８号において、一種の電気化学生物計測器試験片を開示し、血糖、コレステロール及びその他血液中の成分を選択可能、かつ定量に分析が可能である。その電気化学生物計測器試験片50の一端に識別電極60を取り付ける。識別電極60は試験の目的によって異なり、それぞれの位置に取り付ける。その例として、図1aに示す通り、識別電極60は左側に取り付けて、血糖計測器と組合せ使用できる。図1bに示す通り、識別電極60は右側に取り付けて、コレステロール計測器と組合せ使用できる。さらに、図1cに示す通り、識別電極60は両側にまたがって、グルタミン酸‐オキサロ酢酸トランスアミナーゼ(ＧＯＴ)またはグルタミン酸‐ピルビン酸トランスアミナーゼ(GPT)の計測器と組合せ使用できる。
【０００５】
この構造の識別電極は試験片の異なる位置に取り付けることにより、さまざまな計測器と組合せて、前述の目的を果たせる。しかし、試験片を製造するとき、形が異なると生産ラインの切り換え作業が必要ほか、計測器もそれぞれの試験片を識別する装置を作らなければならない。このため、製造者にとって、経済効果が悪い上、コストも下がらない。一方、消費者にとって、試験片小さいに加えて、その上の識別電極がより小さい場所に取り付けられる。そこで、識別電極を変更しても、その変更が少ないとき、検出する計測器はその試験片が正しい試験片かを正確に識別できないため、誤認識の可能性が残る。
【課題を解決するための手段】
【０００６】
本考案は前述先行技術の欠点に対して、一種の異なる抵抗を持つ物質を開発し、さまざまなな導電性物質を試験片の識別電極に塗布しておき、計測するとき計測器であらかじめに設定した抵抗値と試験片識別電極層の抵抗値との比較を行う。その計測器で取り扱う試験片でなければ、計測を拒否し、計測する人の判断間違いを無くすことができる。
【考案の効果】
【０００７】
前述の目的を実現するため、本考案は一種の識別機能を有する生物計測器試験片を提供するもので、絶縁性を有する第1基板と第2基板より構成する。その絶縁性第1、第2基板より構成し、第1基板は第2基板より長く、第1基板上に作業電極区域、参考電極区域、識別電極区域をそれぞれ設ける。これらの作業電極区域、参考電極区域、識別電極区域は第2基板外部に露出し、識別電極区域に導電物質を塗装する。導電性物質は検体計測の用途または計測器に合わせて、変更できる。第1基板上の作業電極と参考電極は互いに接触しない。さらに、第1基板と第2基板の他端に計測区域を設け、この計測区域は作業電極と参考電極それぞれに接続する。使用のとき、試験片を計測器に挿入したとき、識別電極区域に塗布した導電性物質は、さまざまな抵抗値を生成する特性により、検出目的に合わせることができる。このため、製造者は工場出荷するとき、識別電極区域に必要な導電性物質を塗布すればよい。先行技術の試験片のような、計測器の用途と規格に合わせて識別電極の位置と規格を変更必要がないため、製造コストが下がるほか、使用もより便利である。
【０００８】
本考案一つの目的は一種の計測試験片に合わせられる計測器の提供である。この計測器は工場出荷するとき、対象となる試験片の抵抗値に基づいて、一定範囲の抵抗値を設定しておく、検出するとき、この計測器は試験片識別電極区域上の導電性物質により、さまざまな抵抗値を生成し、あらかじめに設定された抵抗値かを判断する。違うとき、エラーメッセージを発信する。正しいとき、検出を続行する。これにより、判定間違いを無くし、検出結果がより精確でき、失敗しても安全な機能がある。
【考案を実施するための最良の形態】
【０００９】
［実施例］  本考案は一種の識別機能を有する生物計測器試験片を提供する。図2ａと図2ｂに示す通り、本考案を平面の電気化学生物試験片に応用した実施例である。試験片10上に向かい合った第1、第2基板11、12を設け、第1基板11は第2基板12より長く、第1、第2基板11、12は平板形状で絶縁性を有する。さらに、第1、第2基板11、12の周りは両端を除く、その相関面に接着剤(これは本考案一つの実施方法であり、この技術に詳しい者は、他の方式で実現可能。)をもって、第1、第2基板を接着しておく、接着剤を塗布しない部分は、検出するための生物物質を設ける。第1基板11は第2基板12外部端面に露出した端面に識別電極区域13を設け、この識別電極区域13は導電性物質を塗布する。導電性物質それぞれの抵抗値が異なる。一例として、導電炭素混合材(混合比により、さまざまな抵抗値を発生する-400Ω(オーム)〜800Ω(オーム)を一種の試験片の抵抗値区間とし、1kΩ(オーム)〜3kΩ(オーム)をもう一種の試験片の抵抗値区間とする...)、または貴金属合金(プラチナ、パラジウム合金)または単一貴金属(金、銀、パラジウムなど)、あるいはインジウムすず酸化物よりさまざまな抵抗値を組合せる。
【００１０】
第1、第2基板11、12の他端に外部に突き出す検出区域14を設け、この第1、第2基板11、12の間に作業電極15及び参考電極16を挟み、作業電極15と参考電極16は一定距離を持たせて、作業電極15と参考電極16の一端は検出区域14に挿入し、他端は識別電極区域13と合わせて第2基板12外部に露出させる（図2ｂ及び図2ｃに示す）。
【００１１】
この構成により、試験片を計測器に挿入したとき、識別電極区域13上の導電性物質により、さまざまな抵抗値を形成する。または、そのうち一つの電極(作業電極15または参考電極16)と識別電極区域13より生成する抵抗はそれぞれの計測要求または形の違う計測器に合わせられるため、代理店ごとの要求に合わせることができる。さらに、製造者は工場出荷するとき、その需要に応じて、識別電極区域13上に導電性物質を塗布できる。先行技術の試験片のように、計測器の用途と規格に合わせて識別電極の位置と数量を変更必要がないため、製造コストが下がるほか、使用もより便利である。
【００１２】
図3ａと図3ｂに示す通り、本考案を立体式電気化学生物試験片に応用した実施例である。試験片10上に第1基板、第1基板11両側に第2基板12をそれぞれに設け、第1基板11は第2基板12より長く、第1、第2基板11、12は平板形状で絶縁性を有する。さらに、第1、第2基板11、12の周りは両端を除く、その相関面に接着剤(これは本考案一つの実施方法であり、この技術に詳しい者は、他の方式で実現可能。)をもって、第1、第2基板を接着しておく、接着剤を塗布しない部分は、検出するための生物物質を設ける。第1基板11は第2基板12外部端面に露出する端面に識別電極区域13を設け、この識別電極区域13は導電性物質を塗布する。導電性物質それぞれの抵抗値が異なる。一例として、導電炭素混合材(混合比により、さまざまな抵抗値がある-400Ω(オーム)〜800Ω(オーム)を一種の試験片の抵抗値区間とし、1kΩ(オーム)〜3kΩ(オーム)をもう一種の試験片の抵抗値区間とする...)、または貴金属合金(プラチナ、パラジウム合金)または単一貴金属(金、銀、パラジウムなど)、あるいはインジウムすず酸化物よりさまざまな抵抗値を組合せる。
【００１３】
さらに、その第1基板と第2基板12の間に作業電極15と参考電極16をそれぞれ挟んでおく、この作業電極15と参考電極16は第1基板11により、一定間隔を維持し、電気の接続がない。作業電極15と参考電極16の一端は検出区域14に挿入し、他端は識別電極区域13と合わせて第2基板12外部に露出する（図3ｂおよび図3ｃに示す）。
【００１４】
図4に示すものは計測器である。この計測に本体20を設け、本体20に表示装置21を設ける。さらに、本体20の内部にマイクロプロセッサーを設け、このマイクロプロセッサーは検出ユニット、アナログ/デジタル変換ユニット、表示装置21、保存ユニット及び電源供給ユニットに接続する(図示していない)。使用するとき、検出ユニットより生物検体を検出し、アナログ/デジタル変換ユニットにより、数値データに変換する。さらに、マイクロプロセッサーにより、入力ユニットに設定した基準値を保存ユニットより取り出して、比較を行う。処理後に表示ユニットより表示させる(先行技術構造であり、本考案の請求範囲でないため、説明を省略する)。さらに、本体20の一端に検出窓22を設け、この検出窓は試験片10に合わせて設けたプロブ・ポイント221を設ける。プロブ・ポイント221は計測器の制御システム（図示していない）と接続する。本実施例において、プロブ・ポイント221は識別電極区域13上、またはその中の電極(作業電極15または参考電極16)あるいは識別電極区域13上の電極を検出できる。
【００１５】
図2、3、4に示す通り、検出前に試験片そう検出窓22に挿入し、識別電極区域13または識別電極区域13とそのうち一つの電極とプロブ・ポイント221に接触させ、変換処理した後、計測器は試験片識別電極区域13上の導電性物質により、さまざまな抵抗値を生成、または識別電極区域13とそのうち一つの電極間で生成する抵抗値でもって、抵抗値は設定された範囲内を判定できる。抵抗値がその範囲を外れたとき、表示装置21よりエラーメッセージを発信する。抵抗値がその範囲のとき、検出を続行する。これにより、判断間違いまたは避けられるほか、計測結果がより精確でき、失敗しても安全な機能がある。
【図面の簡単な説明】
【００１６】
【図１ａ】WO第0171328号特許の概略図1である。
【図１ｂ】WO第0171328号特許の概略図2である。
【図１ｃ】WO第0171328号特許の概略図3である。
【図２ａ】本考案試験片の立体概略図である。
【図２ｂ】本考案試験片の分解概略図である。
【図２ｃ】本考案試験片上の作業/参考/識別電極区域の相関位置分解概略図である。
【図３ａ】本考案試験片もう一つの実施例の立体概略図である。
【図３ｂ】本考案試験片もう一つ実施例の分解概略図である。
【図３ｃ】本考案試験片もう一つ実施例の作業/参考/識別電極区域の相関位置分解概略図である。
【図４】本考案計測器の概略図である。
【符号の説明】
【００１７】
11・・・・・・第1基板
12・・・・・・第2基板
13・・・・・・識別電極区域
14・・・・・・計測区域
15・・・・・・作業電極
16・・・・・・参考電極
20・・・・・・本体
21・・・・・・表示装置
22・・・・・・検出窓
221・・・・・プロブ・ポイント
【図１ａ】
0003117358.tif 000003
【図１ｂ】
0003117358.tif 000004
【図１ｃ】
0003117358.tif 000005
【図２ａ】
0003117358.tif 000006
【図２ｂ】
0003117358.tif 000007
【図２ｃ】
0003117358.tif 000008
【図３ａ】
0003117358.tif 000009
【図３ｂ】
0003117358.tif 000010
【図３ｃ】
0003117358.tif 000011
【図４】
0003117358.tif 000012